(57)【特許請求の範囲】
【請求項１】
撮像画像を取得する撮像手段と、
逐次取得される前記撮像画像をライブビュー画像として表示する表示手段と、
被写体である人物の顔画像に、当該顔画像をより美しく見せるためにメイクアップ処理を施すための複数のパラメータの種類として肌のなめらかさ及び肌の色を特定する特定手段と、
この特定手段により特定された複数のパラメータの種類毎の設定状態を、前記顔画像を含むライブビュー画像と合わせて同時に確認しながら、当該複数のパラメータの種類毎の値を設定可能にするための設定操作手段と、
この設定操作手段により設定された前記複数のパラメータのうちの前記肌のなめらかさの設定値による撮影状態を前記撮像画像に反映させて撮影画像を生成し、当該生成された撮影画像を基に、前記複数のパラメータのうちの前記肌の色の値を、前記設定操作手段により設定された前記肌の色の設定値を含む複数の値の各々に変化させて、複数の撮影画像を生成する生成手段と、
を備えることを特徴とする撮影装置。
【請求項２】
前記設定操作手段は、前記特定手段により特定された複数のパラメータの種類毎の値を設定するために最適化された設定画面であることを特徴とする請求項１に記載の撮影装置。
【請求項３】
前記表示手段は、前記生成手段が生成する、前記設定操作手段により設定される複数のパラメータの種類毎の設定値による撮影状態を反映させた撮影画像をライブビュー画像として表示する、
ことを特徴とする請求項１又は２に記載の撮影装置。
【請求項４】
撮影の実行が指示された際に、前記生成手段が生成する前記複数の撮影画像を記憶する記憶手段を、更に備える、
ことを特徴とする請求項１乃至３のいずれか１項に記載の撮影装置。
【請求項５】
前記生成手段は、前記肌の色の値を、前記設定操作手段による前記肌の色の設定値を基準として値を変化させて前記複数の撮影画像を生成する、
ことを特徴とする請求項１乃至４のいずれか１項に記載の撮影装置。
【請求項６】
前記生成手段は、前記肌の色の値を、前記設定操作手段による前記肌の色の設定値を基準として値を変化させる際に、値の変化可能な範囲内における前記肌の色の設定値の位置に応じて、変化の幅または変化の数を自動的に変化させる、
ことを特徴とする請求項５に記載の撮影装置。
【請求項７】
前記設定された肌の色の値を反映させた撮影画像を生成するための処理時間は、前記設定された肌のなめらかさの値を反映させた撮影画像を生成するための処理時間よりも短い、
ことを特徴とする請求項１乃至６のいずれか１項に記載の撮影装置。
【請求項８】
前記肌の色は、当該肌の色の値の撮影状態を反映させるための画像処理が複数からなり、
前記生成手段は、前記設定操作手段による前記肌の色の設定値に応じて、画像処理を複数のうちから切り替えて撮影状態を反映させて、前記複数の撮影画像を生成する、
ことを特徴とする請求項１乃至７のいずれか１項に記載の撮影装置。
【請求項９】
前記生成手段は、前記肌の色の値の撮影状態を反映させるための画像処理が複数からなる場合であって、前記設定操作手段による前記肌の色の設定値を基準として変化する前記肌の色に応じた画像処理が複数にまたがる場合は、画像処理を切り替えながら、撮影状態を反映させて、前記複数の撮影画像を生成する、
ことを特徴とする請求項８に記載の撮影装置。
【請求項１０】
前記設定操作手段による設定値を基準として、値を変化させた複数の撮影画像を生成するパラメータの種類を更に変更可能とし、
前記生成手段は、撮影の実行が指示された際に、前記設定操作手段による変更された設定値を基準として、値を変化させた複数の撮影画像を更に生成する、
ことを特徴とする請求項１乃至９のいずれか１項に記載の撮影装置。
【請求項１１】
撮像画像を取得する撮像手段と、逐次取得される撮像画像をライブビュー画像として表示する表示手段と、を備える撮影装置で実行される画像生成方法であって、
被写体である人物の顔画像に、当該顔画像をより美しく見せるためにメイクアップ処理を施すための複数のパラメータの種類として肌のなめらかさ及び肌の色を特定する特定処理と、
この特定処理において特定された複数のパラメータの種類毎の設定状態を、前記顔画像を含むライブビュー画像と合わせて同時に確認しながら、当該複数のパラメータの種類毎の値を設定可能にするための設定操作手段により設定された前記複数のパラメータのうちの前記肌のなめらかさの設定値による撮影状態を前記撮像画像に反映させて撮影画像を生成し、当該生成された撮影画像を基に、前記複数のパラメータのうちの前記肌の色の値を、前記設定操作手段により設定された前記肌の色の設定値を含む複数の値の各々に変化させて、複数の撮影画像を生成する生成処理と、
を含むことを特徴とする画像生成方法。
【請求項１２】
撮像画像を取得する撮像手段と、逐次取得される撮像画像をライブビュー画像として表示する表示手段と、を備える撮影装置を制御するコンピュータに、
被写体である人物の顔画像に、当該顔画像をより美しく見せるためにメイクアップ処理を施すための複数のパラメータの種類として肌のなめらかさ及び肌の色を特定する特定機能と、
この特定機能により特定された複数のパラメータの種類毎の設定状態を、前記顔画像を含むライブビュー画像と合わせて同時に確認しながら、当該複数のパラメータの種類毎の値を設定可能にするための設定操作機能と、
この設定操作機能により設定された前記複数のパラメータのうちの前記肌のなめらかさの設定値による撮影状態を前記撮像画像に反映させて撮影画像を生成し、当該生成された撮影画像を基に、前記複数のパラメータのうちの前記肌の色の値を、前記設定操作機能により設定された前記肌の色の設定値を含む複数の値の各々に変化させて、複数の撮影画像を生成する生成機能と、
を実現させることを特徴とするプログラム。
【発明の詳細な説明】
【技術分野】
【０００１】
本発明は、撮影装置、画像生成方法及びプログラムに関する。
【背景技術】
【０００２】
従来より、撮影パラメータの値を変更しながら複数回の撮影を連続して行い、所望する撮影画像を取得するブラケット撮影が広く使用されている。撮影環境によって適切な変更する撮影パラメータの値は異なるものであり、撮影の都度複数の撮影パラメータの値を設定することは面倒である。このため、特許文献１のように、タッチパネルを使用し、中心となる基準値を容易に設定できるようにした技術が開示されている。
【先行技術文献】
【特許文献】
【０００３】
【特許文献１】特開２０１４−４８３８２号公報
【発明の概要】
【発明が解決しようとする課題】
【０００４】
しかしながら、１の撮影パラメータの値の設定にとどまっている。一方、人物の顔の撮影時に肌の色や滑らかさ、或いは目の開き具合等を補正するメイクアップ画像処理をかける技術も広く使用されている。補正をかける適切な強度は、撮影対象とする人物の顔や撮影環境に応じて異なるものであり、更に、撮影者の好みによっても異なるものである。また、メイクアップ画像処理の複数の補正をかける技術も開示されているが、それぞれの補正毎に補正をかける強度を設定するには手間がかかるという問題もある。
【０００５】
本発明は、このような状況に鑑みてなされたものであり、ユーザの所望する画像を容易に取得できるようにすることを目的とする。
【課題を解決するための手段】
【０００６】
上記目的を達成するため、本発明の一態様の撮影装置は、
撮像画像を取得する撮像手段と、
逐次取得される前記撮像画像をライブビュー画像として表示する表示手段と、
被写体である人物の顔画像に、当該顔画像をより美しく見せるためにメイクアップ処理を施すための複数のパラメータの種類として肌のなめらかさ及び肌の色を特定する特定手段と、
この特定手段により特定された複数のパラメータの種類毎の設定状態を、前記顔画像を含むライブビュー画像と合わせて同時に確認しながら、当該複数のパラメータの種類毎の値を設定可能にするための設定操作手段と、
この設定操作手段により設定された前記複数のパラメータのうちの前記肌のなめらかさの設定値による撮影状態を前記撮像画像に反映させて撮影画像を生成し、当該生成された撮影画像を基に、前記複数のパラメータのうちの前記肌の色の値を、前記設定操作手段により設定された前記肌の色の設定値を含む複数の値の各々に変化させて、複数の撮影画像を生成する生成手段と、
を備えることを特徴とする。
【発明の効果】
【０００７】
本発明によれば、ユーザの所望する画像を容易に取得することができる。
【図面の簡単な説明】
【０００８】
【図１】本発明の一実施形態に係る撮影装置のハードウェアの構成を示すブロック図である。
【図２】本実施形態におけるパラメータの設定レベルを説明するための模式図である。
【図３】本実施形態における肌の色のパラメータ値の設定を示す模式図である。
【図４】本実施形態におけるパラメータの設定画面の表示例を示す模式図である。
【図５】本実施形態におけるパラメータの設定画面の表示例を示す模式図である。
【図６】メイクアップ設定処理を経たライブビュー画像の表示画面の表示例を示した模式図である。
【図７】図１の撮影装置の機能的構成のうち、撮影処理を実行するための機能的構成を示す機能ブロック図である。
【図８】図７の機能的構成を有する図１の撮影装置が実行する撮影処理の流れを説明するフローチャートである。
【図９】撮影処理にうち、メイクアップ設定処理を実行するための機能的構成を示す機能ブロック図である。
【発明を実施するための形態】
【０００９】
以下、本発明の実施形態について、図面を用いて説明する。
【００１０】
図１は、本発明の一実施形態に係る撮影装置のハードウェアの構成を示すブロック図である。
撮影装置１は、例えばデジタルカメラとして構成される。
【００１１】
撮影装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記憶されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」という。撮像画像のデータは、ＣＰＵ１１等に適宜供給される。また、撮影装置１では、撮像部１６から順次出力される撮像画像をライブビュー画像として取得し、後述の入力部１７によるユーザの撮影指示操作により撮像部１６から出力される撮像画像を撮影画像として取得する。
【００１８】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１９】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
このように構成される撮影装置１は、取得したライブビュー画像や撮影画像等の画像に対して画像処理を施して、被写体である人の顔をより美しく見せてメイクアップの効果を付加した画像（以下、「メイクアップの処理を施した画像」ともいう。）を生成する機能を有する。
【００２１】
ここで、本実施形態におけるメイクアップの処理を施した画像の生成手法について説明する。
メイクアップの処理を施した画像（以下、「処理画像」という。）は、取得した画像の顔部分に対して、肌の状態を変化させるパラメータを変化させる画像処理を施すことにより生成される。
【００２２】
本実施形態において処理画像は、例えば、「目の開き具合」、「充血除去」、「歯の美白」、「肌の色」、「肌のなめらかさ」等のメイクアップの複数のパラメータのうち、視覚的な変化量がより大きい「肌の色」や「肌のなめらかさ」のパラメータについて画像処理を行うことで生成する。
【００２３】
複数のパラメータのうち、「肌の色」のパラメータは、人の顔の肌の色を変更するパラメータであり、褐色と、ナチュラルと、美白との間で肌の色をユーザが任意に変更可能に構成される。
また、複数のパラメータのうち、「肌のなめらかさ」のパラメータは、人の顔の肌のなめらかさを変更するパラメータであり、肌のなめらかさの度合いをユーザが任意に変更可能に構成される。
【００２４】
図２は、本実施形態におけるパラメータの設定レベルを説明するための模式図である。
本実施形態においては、図２に示すように、「パラメータ：肌の色」では、［レベル１］乃至［レベル６］までを、褐色の度合いが最も強い［褐色＋６］乃至褐色の度合いが最も弱い［褐色＋１］とし、［レベル７］を、画像処理を施さないナチュラルである［０（切）］とし、［レベル８］乃至［レベル１３］までを、美白の度合いが最も弱い［美白＋１］乃至美白の度合いが最も強い［美白＋６］としている。即ち、メイクアップの１パラメータである「肌の色」の設定段階は、従来、２段階（ナチュラルと美白）であったものを７段階、（ナチュラル＋美白方向６段階）と細かく設定可能とした。
【００２５】
また、「パラメータ：肌のなめらかさ」では、［レベル１］を、画像処理を施さない［０（切）］とし、［レベル２］乃至［レベル１３］を、肌のなめらかさの程度［＋１（弱）］乃至［＋１２］としている。なお、［レベル７］においては、標準的な肌のなめらかさとなる［＋６（標準）］としている。
【００２６】
また、本実施形態においては、「パラメータ：肌のなめらかさ」のパラメータ値を１３のレベルの中で任意に設定した値で固定し、「パラメータ：肌の色」のパラメータを可変にして、２種類のパラメータの組み合わせで複数枚の異なる画像処理を施した画像を生成する。具体的には、「パラメータ：肌の色」において、設定した設定値と、設定値を基準にして変更した値（以下、「ブラケット値」という。）とで、各々固定した「パラメータ：肌のなめらかさ」と組み合わせた画像処理を施して、複数枚の処理画像を生成する。
したがって、撮影装置１では、複数の異なるパラメータの値を変えて、複数の処理画像を生成するために、簡易的な２軸ブラケットが行えることになる。
【００２７】
本実施形態においては、基本的に、設定値を基準に変更したブラケット値は、設定値から±２レベル（段階）変更した値を用いる。ブラケット値は、基本的に、設定値から±２段階変更した値であるため、設定値が上下限値から２段階以内に設定された場合、即ち、上下限値に設定された場合や上下限値から１段階手前に設定された場合には、変更した値とするか、上下限値と設定値との間の１段階に変更した値とするように構成する。即ち、基準値である設定値の設定時に設定可能範囲の端部で＋２／−２が確保できない場合は、ブラケット値は、＋１／−１に変化量を縮める、或いは、省くため枚数が減ることになる。
【００２８】
図３は、本実施形態における肌の色のパラメータ値の設定を示す模式図である。
本実施形態においては、図３に示すように、肌の色の設定値に応じて、画像処理を変えた最大３枚の処理画像を生成する。２枚目に設定される値が肌の色の設定値となり、前後２枚（１枚目と３枚目）の画像がブラケット値となる。
【００２９】
具体的には、［肌の色の設定値：０（切）］の場合には、１枚目に設定される値は、設定値の−２段階となるため［＋２（褐色）］となり、２枚目に設定される値は、設定値の［０（切）］となり、３枚目に設定される値は、設定値の＋２段階となるため［＋２（美白）］となる。
【００３０】
また、肌の色の下限値である［肌の色の設定値：＋６（褐色）］の場合には、１枚目に設定される値は、設定値の−２段階となり下限値を超えるため［−（作成しない）］となり、２枚目に設定される値は、設定値の［＋６（褐色）］となり、３枚目に設定される値は、設定値の＋２段階となるため［＋４（褐色）］となる。
また、下限値から−１段階低い［肌の色の設定値：＋５（褐色）］の場合には、１枚目に設定される値は、設定値の−２段階となり下限値を超えるが、設定値より下限値の方が低い値となるため下限値の［＋６（褐色）］となる。
【００３１】
また、肌の色の上限値である［肌の色の設定値：＋６（美白）］の場合には、１枚目に設定される値は、設定値の−２段階となり［＋４（美白）］となり、２枚目に設定される値は、設定値の［＋６（美白）］となり、３枚目に設定される値は、設定値の＋２段階となり下限値を超えるため［−（作成しない）］となる。
また、上限値から−１段階低い［肌の色の設定値：＋５（美白）］の場合には、３枚目に設定される値は、設定値の＋２段階となり上限値を超えるが、設定値より上限値の方が高い値となるため上限値の［＋６（美白）］となる。
【００３２】
なお、本実施形態においては、「肌のなめらかさ」の画像処理よりも、「肌の色」の画像処理の方の処理が軽いため、「肌の色」についてのパラメータ値を複数変更したブラケットを行うように構成する。
【００３３】
このように構成される撮影装置１では、メイクアップの他のパラメータである「肌のなめらかさ」は、「肌の色」とは各々独立の設定画面で設定する必要があったものを１の画面で両方を設定可能な設定画面を提供する。
【００３４】
図４は、本実施形態におけるパラメータの設定画面の表示例を示す模式図である。
本実施形態におけるパラメータの設定画面では、図４に示すように、ライブビュー画像を表示する領域Ｒ１と共に、メイクアップに適切であると特定されたパラメータの設定されたパラメータ値を表すスライドバーＳＢ１，ＳＢ２を重畳表示しており、画面の下部には、選択されたパラメータの名称と、パラメータ値が表示される領域Ｒ２が設けられる。
【００３５】
「肌の色」と「肌のなめらかさ」をメイクアップのパラメータとしている本例では、上段に「肌の色」のパラメータ値を表すスライドバーＳＢ１、下段に「肌のなめらかさ」のパラメータ値を表すスライドバーＳＢ２が表示されている。
パラメータ値の変更可能なスライドバーは、強調表示（図中、スライドバーの太線表示が強調表示）され、ユーザによる入力部１７への操作により、変更可能なスライドバーを切り替え可能にする。
【００３６】
また、スライドバーには、パラメータの効果を視覚的に表現した指標と、パラメータの上限値と下限値が表示される。具体的には、「肌の色」のスライドバーＳＢ１には、美白を表す指標ＩＣ１、褐色を表す指標ＩＣ２が表示され、「肌のなめらかさ」のスライドバーＳＢ２には、肌のなめらかさを示す指標ＩＣ３と、肌のなめらかさの画像処理を施さない旨の表示である「ＯＦＦ」の文字が表示される。
このため撮影装置１では、複数のパラメータに対して別途異なる設定画面を設けることなく、１の画面で設定可能であり、特定された複数のパラメータを設定するために最適化された設定画面を提供することができる。
【００３７】
また、撮影装置１では、「肌の色」のように、美白の効果を付す画像処理（以下、「美白処理」という。）や褐色の効果を付す画像処理（以下、「褐色処理」という。）の異なる画像処理を行う場合でも、１つの操作で設定可能な操作画面を提供する。具体的には、パラメータに対して、１つのスライドバーを設けて、スライドバーの中で連続して設定可能としている。このため、撮影装置１では、美白処理と褐色処理は内部的には異なる画像処理を行うものでも、連続する１のスライドバーを操作することで使い分けを意識することなく設定可能となる。
【００３８】
図５は、本実施形態におけるパラメータの設定画面の表示例を示す模式図である。
図５の例では、複数の画像処理からなる「肌の色」のパラメータ値の変更を示している。「肌の色」のパラメータ値は、褐色、美白の異なる画像処理の要素で構成されるが、それぞれを同一線上に扱う同軸のスライドバーＳＢ１として構成される。即ち、「肌の色」のパラメータにおいては、従来、美白方向のみであったものを、褐色方向も１つのスライドバーの中で連続して設定と可能とし、合わせて１３段階（褐色方向６段階＋ナチュラル＋美白方向６段階）とした。
具体的には、左端の１目盛り目が褐色の最大値（＋６）であり、６目盛り目で褐色の最小値となり、７目盛り目（０）がナチュラルとなり、８目盛り目が美白の最小値となり、右端の１３目盛り目（＋６）が美白の最大値となる。
【００３９】
このように構成されるスライドバーＳＢ１上でバーＢＲ１の位置をスライドして変更することにより、パラメータ値を変更する。「肌の色」のパラメータでは、異なる画像処理を横断的に設定することになるが、異なる画像処理であってもバーＢＲ１の位置を変更することで設定を行う。具体的には、図５（ａ）の例では、＋６段階の褐色処理の位置にあるのに対して、バーＢＲ１の位置を図５（ｃ）の位置に変更すると異なる画像処理である＋６段階の美白処理の位置に変更することができる。ユーザは、バーＢＲ１の位置を変更するだけで、画像処理の別を指定等する操作を特段行う必要なく設定を可能にする。
【００４０】
また、「肌の色」のパラメータ値は、上述したようにユーザにより設定される設定値と、設定値を基準にして設定されるブラケット値から構成されるが、本例では、設定値とブラケット値の表示を、設定値が黒塗りのバーＢＲ１で表示し、ブラケット値は白抜きのバーＢＲ２，ＢＲ３と異なる配色で表示している。このため、ユーザは、生成される処理画像のパラメータ値を全体的に把握することができると共に、設定値やブラケット値の別を把握することができる。このため、異なる画像処理にまたがるブラケットの設定が、連続する１のスライドバーでユーザが使い分けを意識することなく可能となる。
【００４１】
具体的には、図５（ｂ）の例では、バーＢＲ１が［肌の色の設定値：０（切）］の場合であるため、ブラケット値を表すバーＢＲ２，ＢＲ３は、それぞれ設定値の−２段階となるため［＋２（褐色）］と、設定値の＋２段階となるため［＋２（美白）］となる。
即ち、図５（ｂ）の例のような場合には、基準値である設定値の設定時に設定可能範囲の端部で＋２／−２として表示される。
【００４２】
これに対して、肌の色の下限値［肌の色の設定値：＋６（褐色）］の図５（ａ）の例では、ブラケット値を表すバーＢＲ２は、設定値の−２段階となり下限値を超えており作成されないため、表示されず、バーＢＲ３は、設定値の＋２段階となるため［＋４（褐色）］となる。また、肌の色の上限値［肌の色の設定値：＋６（美白）］の図５（ｃ）の例では、ブラケット値を表すバーＢＲ２は、設定値の＋２段階となり上限値を超えており作成されないため表示されず、バーＢＲ３は、設定値の−２段階となり［＋４（美白）］となる。即ち、図５（ａ）及び図５（ｃ）の例の場合には、基準値である設定値の設定時に設定可能範囲の端部でブラケット値の設定ができないバーＢＲ２、ＢＲ３は表示しない。
【００４３】
また、肌の色の下限値の１段階上［肌の色の設定値：＋５（褐色）］の図５（ｄ）の例では、ブラケット値を表すバーＢＲ２は、設定値の−１段階となるため［＋６（褐色）］となり、バーＢＲ３は、設定値の＋２段階となるため［＋３（褐色）］となる。また、肌の色の上限値の１段階下［肌の色の設定値：＋５（美白）］の図５（ｅ）の例では、ブラケット値を表すバーＢＲ２は、設定値の−２段階となるため［＋３（美白）］となり、バーＢＲ３は、設定値の＋１段階となるため［＋６（美白）］となる。即ち、図５（ｄ）及び図５（ｅ）の例の場合には、基準値の設定時に設定可能範囲の端部で＋２／−２が確保できないが、＋１／−１の段階が存在する場合には変化量を縮める。
【００４４】
また、本実施形態では、設定値に対応して、ライブビュー画像から処理画像を生成して、リアルタイムに設定画面に表示させる。このため、ユーザは、画面での肌の仕上がりを確認しながら、その後の撮影処理等を行うことができる。
【００４５】
また、撮影装置１では、上述した画面表示に加えて以下のような表示も行う。
メイクアップ設定処理を経たライブビュー画像の表示画面の表示例について説明する。
図６は、メイクアップ設定処理を経たライブビュー画像の表示画面の表示例を示した模式図である。
図６の例に示すようにメイクアップ設定処理を経たライブビュー画像の表示画面では、ライブビュー画像に重畳してメイクアップ設定がされた旨を示す指標ＩＣ４と、処理画像が３枚生成される旨を示す指標ＩＣ５が表示される。
これにより、ユーザは、表示画面を確認すれば、メイクアップ設定がされていることと、撮影した場合に、何枚の処理画像が生成されることを把握することができる。
【００４６】
このように構成される撮影装置１では、画面上でライブビュー画像を表示しながら、撮影対象に対応した複数のパラメータの設定を１の画面で可能とするＵＩ（Ｕｓｅｒ  Ｉｎｔｅｒｆａｃｅ）を提供することができる。
【００４７】
図７は、このような撮影装置１の機能的構成のうち、撮影処理を実行するための機能的構成を示す機能ブロック図である。
「撮影処理」とは、特定したパラメータでのパラメータ値（設定値及びブラケット値）を設定し、設定したパラメータ値に基づいて画像処理を施した処理画像を生成して取得し、ライブビュー画像を表示したり、撮影画像を記憶したりするまでの一連の処理である。
また、「メイクアップ設定処理」とは、画像処理の行程で施すことが適切であるパラメータを特定して、特定したパラメータのパラメータ値を設定する処理である。「メイクアップ設定処理」では、パラメータ値の設定に際して、選択したパラメータ値で画像処理を施したライブビュー画像を表示する。
【００４８】
メイクアップ設定処理を含む撮影処理を実行する場合には、図７に示すように、ＣＰＵ１１において、撮像制御部５１と、操作検出部５２と、モード設定部５３と、画像取得部５４と、画像処理部５５と、表示制御部５６と、記憶制御部５７と、パラメータ設定部５８と、を備える。
【００４９】
記憶部１９の一領域には、パラメータ情報記憶部７１と、画像記憶部７２と、が設けられる。
【００５０】
パラメータ情報記憶部７１には、メイクアップの画像処理を施すためのパラメータに関する情報が記憶されている。具体的には、パラメータ情報記憶部７１には、図２及び３に示すような構成のテーブルがパラメータ値の参照用に記憶されており、現在の設定値についても合わせて記憶されている。
【００５１】
画像記憶部７２には、撮像部１６から出力される撮像画像を取得した撮影画像やその撮影画像に画像処理を施した撮影画像が記憶される。
【００５２】
撮像制御部５１は、ユーザからの入力部１７を介した撮影開始指示に基づいて、撮像処理を実行させたり、ライブビュー画像の表示を開始したりするように撮像部１６を制御する。
【００５３】
操作検出部５２は、ユーザによる入力部１７への操作を検出する。具体的には、操作検出部５２は、モード設定を行う操作、メイクアップ設定処理を開始させる操作、撮影指示操作、メイクアップ設定処理における設定値の変更操作、処理の終了操作等の各種操作を検出する。
【００５４】
モード設定部５３は、操作検出部５２により検出された入力部１７へのモード設定を行う操作に基づいて、例えば、通常・夜景・風景・花等の撮影の状態に適した撮影設定を行う撮影のモードを設定する。本実施形態のメイクアップの画像処理を行う「メイクアップモード」も撮影のモードの１として設定される。モード設定部５３によりモード設定されない場合には、例えば、通常撮影モード等の初期設定のモードや前回設定したモードとなる。
【００５５】
画像取得部５４は、撮像部１６から出力された撮像画像を取得する。
【００５６】
画像処理部５５は、画像取得部５４によって取得された撮像画像に対して、設定されたパラメータでの画像処理を施して処理画像（画像処理が施された撮影画像）を生成する。
【００５７】
画像処理部５５は、「肌の色」をパラメータにして画像処理を施す場合には、肌の色に対して、肌の色に適した褐色の度合いを変化させる画像処理である褐色処理を施し、肌の色に適した白の度合いを変化させる画像処理である美白処理を施す。なお、褐色処理及び美白処理は、各々周知の画像処理技術を用いることで実現可能であるため、ここでは詳細な説明は省略する。
また、画像処理部５５は、「肌のなめらかさ」をパラメータにして画像処理を施す場合には、肌の領域に対して、なめらかさの程度を変更する画像処理を施す。なお、肌領域のなめらかさを変更する画像処理は、周知の画像処理技術を用いることで実現可能であるため、ここでは詳細な説明は省略する。
【００５８】
また、画像処理部５５は、パラメータが「肌の色」と「肌のなめらかさ」である場合には、「肌のなめらかさ」による画像処理を行ってから、「肌の色」についての画像処理を行う。即ち、撮像画像に対して設定されている「肌のなめらかさ」による画像処理を行った処理画像を基に、設定されている「肌の色」のブラケットを行い、複数の処理画像を生成する。これにより、撮影装置１では、簡易的な２軸ブラケットが行えることになる。
【００５９】
具体的には、画像処理部５５は、まず、「肌のなめらかさ」のパラメータの任意に設定されている設定値で画像処理を施して処理画像を生成する。
そして、画像処理部５５は、「肌のなめらかさ」のパラメータで画像処理した処理画像に対して、図３のテーブルに従って、順次「肌の色」の画像処理を施して、３枚の処理画像を生成する。即ち、画像処理部５５は、「肌のなめらかさ」のパラメータで画像処理した処理画像に対して、「肌の色」において設定値よりもレベルの低い側のブラケット値で画像処理を施して、１枚目の処理画像を生成する。そして、画像処理部５５は、「肌のなめらかさ」のパラメータで画像処理した処理画像に対して、「肌の色」の設定値で画像処理を施して、２枚目の処理画像を生成する。最後に、画像処理部５５は、「肌のなめらかさ」のパラメータで画像処理した処理画像に対して、「肌の色」において設定値よりもレベルの高い側のブラケット値で画像処理を施して、３枚目の処理画像を生成する。
【００６０】
本実施形態においては、画像処理部５５は、「肌のなめらかさ」のパラメータ値である設定値と、「肌の色」のパラメータ値である設定値及びその設定値から所定値増減したブラケット値とで画像処理を施す。結果として、最大３枚の処理画像が生成されることとなる。
【００６１】
表示制御部５６は、画像等を表示出力するように出力部１８を制御する。
具体的には、表示制御部５６は、ライブビュー画像を表示出力したり、メイクアップの設定がある場合には、設定されたパラメータ値で画像処理を施したライブビュー画像を表示出力したり、パラメータの設定画面をライブビュー画像と共に表示出力したりするように出力部１８を制御する。
【００６２】
記憶制御部５７は、撮像部１６から出力される撮像画像を取得した撮影画像を画像記憶部７２に記憶させる。メイクアップの設定がある場合には、画像処理部５５が、設定されたパラメータ値で画像処理を施した撮影画像を画像記憶部７２に記憶させる。
【００６３】
パラメータ設定部５８は、画像処理部５５が、画像処理において施すパラメータの種類を特定する。本実施形態においては、パラメータ設定部５８は、パラメータとして、例えば、「目の開き具合」、「充血除去」、「歯の美白」等のメイクアップの複数のパラメータのうち、視覚的な変化量がより大きい「肌の色」や「肌のなめらかさ」のパラメータの２種類のパラメータを特定する。
また、パラメータ設定部５８は、特定したパラメータおけるパラメータ値を設定する。本実施形態においては、パラメータ設定部５８は、「肌の色」のパラメータに対しては、設定値と、ブラケット値を設定し、「肌のなめらかさ」のパラメータに対しては設定値のみを設定する。
具体的には、パラメータ設定部５８は、メイクアップ設定処理において、メイクアップ設定処理の終了操作があった場合の時点の値をパラメータ値として設定する。
【００６４】
図８は、図７の機能的構成を有する図１の撮影装置１が実行する撮影処理の流れを説明するフローチャートである。
撮影処理は、ユーザによる入力部１７への開始の操作により開始される。
【００６５】
ステップＳ１１において、撮像制御部５１は、ライブビュー画像の表示を開始するように撮像部１６を制御する。
【００６６】
ステップＳ１２において、操作検出部５２は、ユーザにより入力部１７に対してモード設定操作があったか否かを判定する。
メイクアップモードでなく、メイクアップモードに設定する必要であるためモード設定操作があった場合には、ステップＳ１２においてＹＥＳと判定されて、処理はステップＳ１３に進む。
既にメイクアップモードであり、モードの設定する必要がないためモード設定操作がない場合には、ステップＳ１２においてＮＯと判定されて、処理はステップＳ１４に進む。
【００６７】
ステップＳ１３において、モード設定部５３は、ユーザによる入力部１７の操作に応じてメイクアップモードを設定する。
【００６８】
ステップＳ１４において、操作検出部５２は、ユーザにより入力部１７に対してメイクアップ設定処理操作があったか否かを判定する。
メイクアップ設定処理操作があった場合には、ステップＳ１４においてＹＥＳと判定されて、処理はステップＳ１５に進む。
メイクアップ設定処理操作がない場合には、ステップＳ１４においてＮＯと判定されて、処理はステップＳ１６に進む。
【００６９】
ステップＳ１５において、画像取得部５４と、画像処理部５５と、表示制御部５６と、パラメータ設定部５８は、メイクアップ設定処理を実行する。メイクアップ設定処理の詳細な流れについては、後述する。
メイクアップ設定処理が実行された結果、画像処理に用いるパラメータ（本実施形態においては、「肌の色」と、「肌のなめらかさ」のパラメータ）と、パラメータのパラメータ値（本実施形態においては、「肌の色」のパラメータについては設定値とブラケット値のパラメータ値と、「肌のなめらかさ」のパラメータについては設定値のパラメータ値）が設定される。
【００７０】
ステップＳ１６において、操作検出部５２は、撮影指示操作があったか否かを判定する。
撮影指示操作があった場合には、ステップＳ１６においてＹＥＳと判定されて、処理はステップＳ２１に進む。ステップＳ２１以降の処理は、後述する。
撮影指示操作があった場合には、ステップＳ１６においてＮＯと判定されて、処理はステップＳ１７に進む。
【００７１】
ステップＳ１７において、画像取得部５４は、撮像部１６から出力される撮像画像をライブビュー画像として取得する。
【００７２】
ステップＳ１８において、パラメータ設定部５８は、メイクアップ設定があったか否かを判定する。即ち、パラメータ設定部５８は、ステップＳ１５において、メイクアップ設定処理により、画像処理に用いるパラメータと、パラメータのパラメータ値が設定されたか否かを判定する。
メイクアップ設定があった場合には、ステップＳ１８においてＹＥＳと判定されて、処理はステップＳ１９に進む。
メイクアップ設定がない場合には、ステップＳ１８においてＮＯと判定されて、処理はステップＳ２０に進む。
【００７３】
ステップＳ１９において、画像処理部５５は、画像取得部５４により取得したライブビュー画像に対して、画像処理を施して処理画像を生成する。詳細には、画像処理部５５は、取得したライブビュー画像に対して、設定されたパラメータ値で画像処理を施す。画像処理部５５は、メイクアップ設定処理で設定したパラメータが「肌の色」と、「肌のなめらかさ」である場合には、「肌のなめらかさ」のパラメータ値である設定値で画像処理を施した処理画像を生成し、処理画像に対して、さらに「肌の色」のパラメータ値である設定値で画像処理を施して処理画像を生成する。
【００７４】
ステップＳ２０において、表示制御部５６は、ライブビュー画像を表示出力するように出力部１８を制御する。その結果、出力部１８には、ステップＳ１７で取得したライブビュー画像又は、ステップＳ１９でメイクアップ設定がされている場合には、図６に示すような表示画面が表示され、メイクアップの処理を施したライブビュー画像（詳細には、取得したライブビュー画像に対して、設定したパラメータ値で画像処理を施して生成した処理画像）が表示される。
その後、処理はステップＳ２５に進む。ステップＳ２５の処理については後述する。
【００７５】
ステップＳ２１において、画像取得部５４は、ユーザによる入力部１７への撮影指示操作が行われ、撮像制御部５１により撮像処理を行うように撮像部１６が制御された結果、撮像部１６から出力される撮像画像を撮影画像として取得する。
【００７６】
ステップＳ２２において、パラメータ設定部５８は、メイクアップ設定があったか否かを判定する。即ち、パラメータ設定部５８は、ステップＳ１５において、メイクアップ設定処理により、画像処理に用いるパラメータと、パラメータのパラメータ値が設定されたか否かを判定する。
メイクアップ設定があった場合には、ステップＳ２２においてＹＥＳと判定されて、処理はステップＳ２３に進む。
メイクアップ設定がない場合には、ステップＳ２２においてＮＯと判定されて、処理はステップＳ２４に進む。
【００７７】
ステップＳ２３において、画像処理部５５は、画像取得部５４により取得した撮影画像に対して、画像処理を施して処理画像を生成する。詳細には、画像処理部５５は、取得した撮影画像に対して、設定されたパラメータ値で画像処理を施す。画像処理部５５は、メイクアップ設定処理で設定したパラメータが「肌の色」と、「肌のなめらかさ」である場合には、「肌のなめらかさ」のパラメータ値である設定値で画像処理を施した処理画像を生成し、さらに処理画像に対して、「肌の色」のパラメータ値である設定値とブラケット値で画像処理を施して処理画像を生成する。
具体的には、画像処理部５５は、図３のテーブルに従って、まず、「肌のなめらかさ」のパラメータ値である設定値で画像処理を施した処理画像に対して、「肌の色」においてパラメータ値として設定値よりもレベルの低い側のブラケット値で画像処理を施して、１枚目の処理画像を生成する。次に、「肌のなめらかさ」の設定値で画像処理を施した処理画像に対して、「肌の色」の設定値で画像処理を施して、２枚目の処理画像を生成する。最後に、「肌のなめらかさ」の設定値で画像処理を施した処理画像に対して、「肌の色」において設定値よりもレベルの高い側のブラケット値で画像処理を施して、３枚目の処理画像を生成する。
【００７８】
ステップＳ２４において、記憶制御部５７は、画像記憶部７２に撮影画像を記憶させる。詳細には、記憶制御部５７は、メイクアップ設定がされている場合には、設定されたパラメータ値で画像処理を施した撮影画像（詳細には、撮影画像に対して、設定されたパラメータ値で画像処理を施して生成した処理画像）を記憶させるように画像記憶部７２を制御する。
【００７９】
ステップＳ２５において、操作検出部５２は、ユーザにより入力部１７に対して、終了操作があったか否かを判定する。
終了操作がない場合には、ステップＳ２５においてＮＯと判定されて、処理はステップＳ１２に戻る。
終了操作があった場合には、ステップＳ２５においてＹＥＳと判定されて、撮影処理は終了する。
【００８０】
図９は、撮影処理にうち、メイクアップ設定処理を実行するための機能的構成を示す機能ブロック図である。
【００８１】
ステップＳ４１において、パラメータ設定部５８は、複数のパラメータのうち、メイクアップに用いるパラメータを特定する。本実施形態においては、パラメータ設定部５８は、複数のパラメータのうち、メイクアップに適した「肌の色」と、「肌のなめらかさ」の２種類のパラメータを特定する。
【００８２】
ステップＳ４２において、画像取得部５４は、撮像部１６から出力されるライブビュー画像を取得する。
【００８３】
ステップＳ４３において、操作検出部５２は、ユーザによる入力部１７への設定値の変更操作があったか否かを判定する。具体的には、ユーザによる入力部１７への設定値の変更操作として、図６に示すような各パラメータのスライドバーにおける設定値を表すバーＢＲ１の位置を変更するような操作が行われたか否かを判定する。
設定値の変更操作があった場合には、ステップＳ４３においてＹＥＳと判定されて、処理はステップＳ４４に進む。
設定値の変更操作がない場合には、ステップＳ４３においてＮＯと判定されて、処理はステップＳ４５に進む。
【００８４】
ステップＳ４４において、画像処理部５５は、画像取得部５４により取得したライブビュー画像に対して、画像処理を施して処理画像を生成する。詳細には、画像処理部５５は、ライブビュー画像に対して、設定されたパラメータ値で画像処理を施す。画像処理部５５は、メイクアップ設定処理で設定したパラメータが「肌の色」と、「肌のなめらかさ」である場合には、「肌のなめらかさ」のパラメータ値である設定値で画像処理を施した処理画像を生成し、処理画像に対して、さらに「肌の色」のパラメータ値である設定値で画像処理を施して処理画像を生成する。
【００８５】
ステップＳ４５において、表示制御部５６は、ライブビュー画像と現在のパラメータ値を表示出力するように出力部１８を制御する。その結果、出力部１８には、図６に示すような表示画面が表示され、メイクアップの処理を施したライブビュー画像（詳細には、ライブビュー画像に対して、ステップＳ４２で取得されたライブビュー画像或いはステップＳ４４で設定したパラメータ値で画像処理を施して生成した処理画像）が表示される。
【００８６】
ステップＳ４６において、操作検出部５２は、ユーザにより入力部１７に対して、終了操作があったか否かを判定する。
終了操作がない場合には、ステップＳ４６においてＮＯと判定されて、処理はステップＳ４２に戻る。
終了操作があった場合には、ステップＳ４６においてＹＥＳと判定されて、メイクアップ設定処理は終了する。
【００８７】
したがって、撮影装置１においては、画面上でライブビュー画像を表示しながら、撮影対象に対応した複数のパラメータの設定を、それら複数のパラメータに最適化された１の画面で可能とするＵＩ（Ｕｓｅｒ  Ｉｎｔｅｒｆａｃｅ）を提供することができる。
【００８８】
以上のように構成される撮影装置１は、撮像部１６と、出力部１８と、パラメータ設定部５８と、入力部１７と、画像処理部５５と、を備える。
撮像部１６は、撮像画像を取得する。
出力部１８は、逐次取得される撮像画像をライブビュー画像として表示する。
パラメータ設定部５８は、撮影対象に特有の撮影状態を変化させるための複数のパラメータを特定する。
入力部１７は、この特定された複数のパラメータの設定状態をライブビュー画像と合わせて同時に確認しながら各々のパラメータを設定可能にする。
画像処理部５５は、この入力部１７により設定された複数のパラメータの組み合わせによる撮影状態を反映した撮影画像を生成する。
これにより、撮影装置１においては、撮影対象に適した複数のパラメータをライブビュー画像と合わせて同時に確認しながらまとめて設定し、反映した撮影画像を生成できるので、手間をかけることなく、効果的で、かつ使用者が所望する画像を容易に得ることができる。
【００８９】
入力部１７は、パラメータ設定部５８により特定された複数のパラメータを設定するために最適化された設定画面（本実施形態においては、例えば、図４、５に示すような設定画面）である。
これにより、撮影装置１においては、ユーザが容易に複数のパラメータを設定をすることができる。
【００９０】
出力部１８は、画像処理部５５が生成する、入力部１７により設定される複数のパラメータの組み合わせによる撮影状態を反映させた画像をライブビュー画像として表示する。
これにより、撮影装置１においては、より効果的で、かつ使用者が所望する画像をリアルタイムに表示出力することができる。
【００９１】
撮影装置１は、撮影の実行が指示された際に、画像処理部５５が生成する、入力部１７により設定された複数のパラメータの組み合わせによる撮影状態を反映した撮影画像を記憶する画像記憶部７２を、更に備える。
これにより、撮影装置１においては、より効果的で、かつ使用者が所望する画像を記憶することができる。
【００９２】
パラメータ設定部５８は、撮影対象に特有の撮影状態を変化させるための複数のパラメータのうち、そのパラメータの設定を優先して反映するパラメータを更に特定する。
画像処理部５５は、撮影の実行が指示された際に、特定されたパラメータを変化させた複数の撮影画像を生成する。
これにより、撮影装置１においては、より効果的で、かつ使用者が所望する画像を生成することができる。
【００９３】
画像処理部５５は、優先して反映するパラメータとして特定されたパラメータを入力部１７による設定値を基準として、値を変化させて複数の撮影画像を生成する。
これにより、撮影装置１においては、より効果的な画像を生成することができる。
【００９４】
画像処理部５５は、優先して反映するパラメータとして特定されたパラメータを、入力部１７による設定値を基準として値を変化させる際に、パラメータの変化可能な範囲内における設定値の位置に応じて、変化の幅または変化の数を自動的に変化させる。
これにより、撮影装置１においては、ユーザが設定を意識することなく、設定値の設定のみで複数の画像を容易に生成することができる。
【００９５】
画像処理部５５は、優先して反映するパラメータとして特定されていないパラメータによる撮影状態を反映して生成された撮影画像を基に、優先して反映するパラメータとして特定されたパラメータによる撮影状態を反映して、複数の撮影画像を生成する。
これにより、撮影装置１においては、優先して反映するパラメータとして特定されたパラメータによる撮影状態を反映するため、より使用者が所望する画像を生成することができる。
【００９６】
画像処理部５５は、優先して反映するパラメータとして特定されたパラメータと優先して反映するパラメータとして特定されていないパラメータによる撮影状態を合わせて反映して、複数の撮影画像を生成する。
これにより、撮影装置１においては、優先して反映するパラメータと、優先して反映しないパラメータの撮影状態を合わせて反映するため、より効果的で、かつ使用者が所望する画像を生成することができる。
【００９７】
パラメータ設定部５８は、そのパラメータの設定を反映した撮影画像を生成するための処理時間がより短いパラメータを特定する。
これにより、撮影装置１においては、処理負担を少なく画像の生成をすることができる。
【００９８】
パラメータ設定部５８は、そのパラメータの設定を反映することで視覚的な変化量がより大きいパラメータを特定する。
これにより、撮影装置１においては、視覚的な変化量がより大きいパラメータをブラケットの対象とするため、より効果的な画像を生成することができる。
【００９９】
また、撮影装置１では、複数のパラメータのうちの少なくとも一は、そのパラメータの撮影状態を反映させるための画像処理が複数からなる。
画像処理部５５は、入力部１７による設定値に応じて、画像処理を複数のうちから切り替えて撮影状態を反映して、複数の撮影画像を生成する。
これにより、撮影装置１においては、ユーザは画像処理の別を意識することなく容易に画像を生成することができる。
【０１００】
画像処理部５５は、特定されたパラメータの撮影状態を反映させるための画像処理が複数からなる場合であって、入力部１７による設定値を基準として変化するパラメータに応じた画像処理が複数にまたがる場合は、画像処理を切り替えながら、撮影状態を反映して、複数の撮影画像を生成する。
これにより、撮影装置１においては、ユーザは画像処理の別を意識することなく容易に画像を生成することができる。
【０１０１】
なお、本発明は、上述の実施形態に限定されるものではなく、本発明の目的を達成できる範囲での変形、改良等は本発明に含まれるものである。
【０１０２】
上述の実施形態では、メイクアップ機能について言及したが、これに限られず、複数のパラメータの設定をライブビュー画面上で撮影対象に対応した１の画面で可能とするようなものであれば、よい。
【０１０３】
また、上述の実施形態では、１枚の撮像画像に対して複数回の画像処理をかけて複数枚の撮影画像を生成しているが、パラメータの値の組み合わせを撮影毎に変更して複数回の撮影を行い複数枚の撮影画像を生成する、通常のブラケット撮影であってもよい。
【０１０４】
また、上述の実施形態では、処理時間の短い「肌の色」をブラケットの対象としているが、視覚的な変化量（効果）が大きいパラメータがより適切であるとして、ブラケットの対象としてもよい。
ここで、メイクアップの他のパラメータの例としては、「目の開き具合」、「充血除去」、「歯の美白」等が挙げられる。
また、他の撮影対象の例として、「花」で「彩度」や「背景ぼかし」、「紅葉」で「コントラスト」や「赤の強調」等が挙げられる。
【０１０５】
また、上述の実施形態では、設定可能なパラメータの種類は２であるが、３以上でもよく、その場合、スライドバーも相当する数となるように構成する。
【０１０６】
また、上述の実施形態では、例えば、図６に示すように、撮影処理前のライブビュー画像の表示状態において、メイクアップ設定がされている場合には、メイクアップ設定を行っている旨の指標を重畳表示するように構成する。本実施形態においては、３枚の画像を処理画像として生成するため、指標では３枚の画像を模している。
例えば、生成される処理画像の枚数を５枚、７枚等にして構成することもでき、その場合、指標も枚数に相当する表示となるように構成することができる。
【０１０７】
また、上述の実施形態では、ブラケット値は、設定値を基準としてプラスマイナス方向に各々所定量変化させた値としたが、これに限られず、基準は中心でなくてもよく、全てのパラメータ値をユーザが任意に設定できるように構成してもよい。
【０１０８】
また、上述の実施形態では、ブラケットを行うパラメータは「肌の色」の１であるが、「肌の色」と「肌のなめらかさ」の両方でもよく、その場合、指標も相当する表示となる。更に、種類が３以上の場合もその組み合わせは任意に設定することができる。
【０１０９】
また、上述の実施形態では、ブラケットの対象となるパラメータの入れ替えを可能とするように構成することができる。
具体的には、撮影装置１においては、入力部１７による設定値を基準として、値を変化させた複数の撮影画像を生成するパラメータを更に変更可能とする。
画像処理部５５は、撮影の実行が指示された際に、入力部１７による変更されたパラメータの設定値を基準として、値を変化させた複数の撮影画像を更に生成する。
【０１１０】
また、上述の実施形態では、本発明が適用される撮影装置１は、デジタルカメラを例として説明したが、特にこれに限定されない。
例えば、本発明は、撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【０１１１】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が撮影装置１に備えられていれば足り、この機能を実現するためにどのような機能ブロックを用いるのかは特に図７の例に限定されない。
また、１つの機能ブロックは、ハードウェア単体で構成してもよいし、ソフトウェア単体で構成してもよいし、それらの組み合わせで構成してもよい。
【０１１２】
一連の処理をソフトウェアにより実行させる場合には、そのソフトウェアを構成するプログラムが、コンピュータ等にネットワークや記憶媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１１３】
このようなプログラムを含む記憶媒体は、ユーザにプログラムを提供するために装置本体とは別に配布される図１のリムーバブルメディア３１により構成されるだけでなく、装置本体に予め組み込まれた状態でユーザに提供される記憶媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記憶媒体は、例えば、プログラムが記憶されている図１のＲＯＭ１２や、図１の記憶部１９に含まれるハードディスク等で構成される。
【０１１４】
なお、本明細書において、記憶媒体に記憶されるプログラムを記述するステップは、その順序に沿って時系列的に行われる処理はもちろん、必ずしも時系列的に処理されなくとも、並列的或いは個別に実行される処理をも含むものである。
【０１１５】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１１６】
以下に、本願の出願当初の特許請求の範囲に記載された発明を付記する。
［付記１］
撮像画像を取得する撮像手段と、
逐次取得される前記撮像画像をライブビュー画像として表示する表示手段と、
撮影対象に特有の撮影状態を変化させるための複数のパラメータを特定する特定手段と、
この特定手段により特定された複数のパラメータの設定状態をライブビュー画像と合わせて同時に確認しながら各々のパラメータを設定可能にする設定操作手段と、
この設定操作手段により設定された複数のパラメータの組み合わせによる撮影状態を反映した撮影画像を生成する生成手段と、
を備えることを特徴とする撮影装置。
［付記２］
前記設定操作手段は、前記特定手段により特定された複数のパラメータを設定するために最適化された設定画面であることを特徴とする付記１に記載の撮影装置。
［付記３］
前記表示手段は、前記生成手段が生成する、前記設定操作手段により設定される複数のパラメータの組み合わせによる撮影状態を反映させた撮影画像をライブビュー画像として表示する、
ことを特徴とする付記１又は２に記載の撮影装置。
［付記４］
撮影の実行が指示された際に、前記生成手段が生成する、前記設定操作手段により設定された複数のパラメータの組み合わせによる撮影状態を反映した撮影画像を記憶する記憶手段を、更に備える、
ことを特徴とする付記１乃至３のいずれか１つに記載の撮影装置。
［付記５］
前記特定手段は、前記撮影対象に特有の撮影状態を変化させるための複数のパラメータのうち、パラメータの設定を優先して反映するパラメータを更に特定し、
前記生成手段は、撮影の実行が指示された際に、前記特定されたパラメータを変化させた複数の撮影画像を生成する、
ことを特徴とする付記１乃至４のいずれか１つに記載の撮影装置。
［付記６］
前記生成手段は、前記優先して反映するパラメータとして特定されたパラメータを、前記設定操作手段による設定値を基準として値を変化させて複数の撮影画像を生成する、
ことを特徴とする付記５に記載の撮影装置。
［付記７］
前記生成手段は、前記優先して反映するパラメータとして特定されたパラメータを、前記設定操作手段による設定値を基準として値を変化させる際に、パラメータの変化可能な範囲内における設定値の位置に応じて、変化の幅または変化の数を自動的に変化させる、
ことを特徴とする付記６に記載の撮影装置。
［付記８］
前記生成手段は、前記優先して反映するパラメータとして特定されていないパラメータによる撮影状態を反映して生成された撮影画像を基に、前記優先して反映するパラメータとして特定されたパラメータによる撮影状態を反映して、複数の撮影画像を生成する、
ことを特徴とする付記５乃至７のいずれか１つに記載の撮影装置。
［付記９］
前記生成手段は、前記優先して反映するパラメータとして特定されたパラメータと前記優先して反映するパラメータとして特定されていないパラメータによる撮影状態を合わせて反映して、複数の撮影画像を生成する、
ことを特徴とする付記５に記載の撮影装置。
［付記１０］
前記特定手段は、そのパラメータの設定を反映した撮影画像を生成するための処理時間がより短いパラメータを特定する、
ことを特徴とする付記１乃至９のいずれか１つに記載の撮影装置。
［付記１１］
前記特定手段は、そのパラメータの設定を反映することで視覚的な変化量がより大きいパラメータを特定する、
ことを特徴とする付記１乃至１０のいずれか１つに記載の撮影装置。
［付記１２］
複数のパラメータのうちの少なくとも一は、そのパラメータの撮影状態を反映させるための画像処理が複数からなり、
前記生成手段は、前記設定操作手段による設定値に応じて、画像処理を複数のうちから切り替えて撮影状態を反映して、複数の撮影画像を生成する、
ことを特徴とする付記１乃至１１のいずれか１つに記載の撮影装置。
［付記１３］
前記生成手段は、前記特定手段により特定されたパラメータの撮影状態を反映させるための画像処理が複数からなる場合であって、前記設定操作手段による設定値を基準として変化するパラメータに応じた画像処理が複数にまたがる場合は、画像処理を切り替えながら、撮影状態を反映して、複数の撮影画像を生成する、
ことを特徴とする付記１２に記載の撮影装置。
［付記１４］
前記設定操作手段による設定値を基準として、値を変化させた複数の撮影画像を生成するパラメータを更に変更可能とし、
前記生成手段は、撮影の実行が指示された際に、前記設定操作手段による変更されたパラメータの設定値を基準として、値を変化させた複数の撮影画像を更に生成する、
ことを特徴とする付記１乃至１３のいずれか１つに記載の撮影装置。
［付記１５］
撮像画像を取得する撮像手段と、逐次取得される撮像画像をライブビュー画像として表示する表示手段と、を備える撮影装置で実行される画像生成方法であって、
撮影対象に特有の撮影状態を変化させるための複数のパラメータを特定する特定ステップと、
この特定ステップにより特定された複数のパラメータの設定状態をライブビュー画像と合わせて同時に確認しながら各々のパラメータを設定可能にする設定操作ステップと、
この設定操作ステップにより設定された複数のパラメータの組み合わせによる撮影状態を反映した撮影画像を生成する生成ステップと、
を含むことを特徴とする画像生成方法。
［付記１６］
撮像画像を取得する撮像手段と、逐次取得される撮像画像をライブビュー画像として表示する表示手段と、を備える撮影装置を制御するコンピュータに、
撮影対象に特有の撮影状態を変化させるための複数のパラメータを特定する特定機能と、
この特定機能により特定された複数のパラメータの設定状態をライブビュー画像と合わせて同時に確認しながら各々のパラメータを設定可能にする設定操作機能と、
この設定操作機能により設定された複数のパラメータの組み合わせによる撮影状態を反映した撮影画像を生成する生成機能と、
を実現させることを特徴とするプログラム。
【符号の説明】
【０１１７】
１・・・撮影装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・撮像制御部，５２・・・操作検出部，５３・・・モード設定部，５４・・・画像取得部，５５・・・画像処理部，５６・・・表示制御部，５７・・・記憶制御部，５８・・・パラメータ設定部，７１・・・パラメータ情報記憶部，７２・・・画像記憶部
【図１】
0006561435.tif 000002
【図２】
0006561435.tif 000003
【図３】
0006561435.tif 000004
【図４】
0006561435.tif 000005
【図５】
0006561435.tif 000006
【図６】
0006561435.tif 000007
【図７】
0006561435.tif 000008
【図８】
0006561435.tif 000009
【図９】
0006561435.tif 000010